(57)【要約】【課題】簡易な構成で監視機能の向上を実現すること。【解決手段】監視カメラ１は、監視エリアを撮像した画像を一時保存するメモリ部１５を有する。制御部２は、監視カメラ１による撮像中に監視エリアにおけるイベントの発生を表すアラーム信号が受信された時刻の前後に対応する任意数の画像を監視カメラ１内のメモリ部１５から取得して、取得された任意数の画像を表示部３に一画面に表示する。【選択図】      図１
2010074675.tif 000002
【特許請求の範囲】
【請求項１】
監視エリアを撮像した画像を一時保存するメモリを有する撮像装置に通信回線を介して接続可能な画像表示装置であって、
前記撮像装置による撮像中に前記監視エリアにおけるイベントの発生を表すアラーム信号を受信する手段と、
前記アラーム信号が受信された時刻の前後に対応する任意数の画像を前記撮像装置内の前記メモリから前記通信回線を介して取得する手段と、
前記取得された任意数の画像を一画面に表示する手段と
を備えることを特徴とする画像表示装置。
【発明の詳細な説明】
【技術分野】
【０００１】
本発明は、例えば画像監視システムに用いられ、監視カメラにより撮像された画像を表示する画像表示装置に関する。
【背景技術】
【０００２】
画像監視システムは、侵入者の検知等の犯罪抑止、あるいはダムや道路といった公共施設等の事故防止の目的で広く設置されている。画像監視には、「監視画像を記録しておいて、事案発生時に時間を遡って記録画像を見る」といった監視形態があり、金融機関や商店を中心にこのような「記録型監視」の顧客ニーズが存在する。また、監視画像と共に事案発生を表すアラーム信号を記録しておくことで、監視者は事案発生時の画像を検索して表示することができる。  
なお、本願に関連する公知文献として次のようなものが提案されている。
【０００３】
【特許文献１】特開２００２−１３５７７０公報
【発明の開示】
【発明が解決しようとする課題】
【０００４】
ところが、上述した記録型監視は、監視画像を記録しておくための大容量の記録装置が必要となり、システム構成が大規模化してしまう。また、監視者は、事案を確認する場合に記録装置からその事案に対応する録画画像を検索する必要があるため、事案を把握するまでに時間がかかるという問題があった。
【０００５】
本発明は上記事情に着目してなされたもので、その目的とするところは、簡易な構成で監視機能の向上を実現できる画像表示装置を提供することにある。
【課題を解決するための手段】
【０００６】
上記目的を達成するために本発明の係る画像表示装置は、監視エリアを撮像した画像を一時保存するメモリを有する撮像装置に通信回線を介して接続可能な画像表示装置であって、前記撮像装置による撮像中に前記監視エリアにおけるイベントの発生を表すアラーム信号を受信する手段と、前記アラーム信号が受信された時刻の前後に対応する任意数の画像を前記撮像装置内のメモリから取得する手段と、前記取得された任意数の画像を一画面に表示する手段とを具備するものである。
【発明の効果】
【０００７】
したがって本発明によれば、簡易な構成で監視機能の向上を実現できる画像表示装置を提供することができる。
【発明を実施するための最良の形態】
【０００８】
以下、図面を参照して本発明の実施形態について詳細に説明する。  
図１に、本発明の一実施形態に係る画像監視システムのブロック構成を示す。このシステムは、監視エリアの画像を撮像する複数の監視カメラ１−１〜１−Ｎ（以下、監視カメラ１と総称する。）と、制御部２と、表示部３とを備える。制御部２は、例えばサーバ装置で構成され、監視カメラ１と通信回線を介して接続される。また、制御部２には、監視カメラ１による撮像中に監視エリアにおけるイベントの発生を表すアラーム信号が入力される。アラーム信号は、各監視カメラ１の監視エリア内での、侵入者の検知やセンサ発報などにより発生する。表示部３は、ＬＣＤ（Liquid Crystal Display）等のディスプレイ装置で構成される。
【０００９】
図２に、監視カメラ１の内部構成を示す。監視カメラ１は、ＣＣＤ（Charge-Coupled Device）１２と、アナログ部１３と、ディジタル画像処理回路１４と、メモリ部１５と、出力処理回路１６とを備える。ＣＣＤ１２は、光信号量を電荷量に変換し、電気信号として出力する。アナログ部１３は、アナログ処理回路及びアナログ／ディジタル変換回路を有し、ディジタルの画像情報を出力する。ディジタル画像処理回路１４は、アナログ部１３から出力されるディジタルの画像情報をフレーム内符号化（intra-frame cording）する機能を有する。ここでは、ディジタル画像処理回路１４は、ディジタルの画像情報を連続する複数のＪＰＥＧ（Joint Photographic Experts Group）画像に変換してメモリ部１５に記憶する。出力処理回路１６は、制御部２からの制御信号に応じて、メモリ部１５に記憶されたＪＰＥＧ画像のデータを配信する。
【００１０】
次に、このように構成された画像監視システムの動作について説明する。図３は、この画像監視システムの動作を示すフローチャートである。  
図３において、制御部２は、監視カメラ１−１の監視エリアに対応するアラーム信号を受信すると（ステップＳ１）、アラーム信号を受信した時刻の前後に対応するｎ枚（ｎは自然数）のＪＰＥＧ画像のデータを取得する要求を表す制御信号を監視カメラ１−１に対して送信する（ステップＳ２）。監視カメラ１−１は、この制御信号にしたがって、メモリ部１５から対応するｎ枚のＪＰＥＧ画像のデータを読み出して出力処理回路１６により制御部２に送信する（ステップＳ３）。
【００１１】
図４に、監視カメラ１内のメモリ部１５の画像記憶状態を示す。監視カメラ１は、上述したように、配信前の画像をＪＰＥＧ画像のデータに変換して配信する。このときＪＰＥＧ画像のデータはメモリ部１５に一定時間保存される。本実施形態では、この一定時間保存されているＪＰＥＧ画像のデータのうち任意数を制御部２が取得することにより実現する。
【００１２】
図５に、アラーム発生時に制御部２により取得されるＪＰＥＧ画像データを示す。例えば、制御部２にアラーム信号が入力され、制御部２が監視カメラ１に対して９画像を取得するように制御信号をすると、アラーム信号が入力された時刻に対応する「５」を中心として、その前後各４画像の計９画像が制御部２に送信される。
【００１３】
制御部２は、図５に示すように、上記取得されたｎ枚（ここでは９枚）のＪＰＥＧ画像のデータを表示部３に出力し、一画面に一括表示する（ステップＳ４）。なお、表示枚数は任意に選択可能である。
【００１４】
以上述べたように、上記実施形態では、監視カメラ１は、監視エリアを撮像した画像信号を連続する複数の画像データにＪＰＥＧ変換して一時保存するメモリ部１５を有し、制御部２は、監視カメラ１による撮像中に監視エリアにおけるイベントの発生を表すアラーム信号が受信された時刻の前後に対応する任意数のＪＰＥＧ画像のデータを監視カメラ１内のメモリ部１５から取得して、取得された任意数のＪＰＥＧ画像データを表示部３に一画面に表示する。
【００１５】
したがって、上記実施形態によれば、監視画像を記録しておくための記録装置が不要となるためシステム構成を簡素化できる。また、監視エリアのアラーム発生前後の画像を自動的に一括表示することにより、事案発生前から発報に至るまでの経過を即時に把握することが可能となり、監視機能を向上させることができる。
【００１６】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００１７】
【図１】本発明の一実施形態に係る画像監視システムのブロック構成図。
【図２】図１に示す監視カメラの内部構成を示す図。
【図３】図１に示す画像監視システムの動作を示すフローチャート。
【図４】監視カメラ内メモリ部の画像記憶状態を示す図。
【図５】アラーム発生時に制御部により取得される画像データを示す図。
【符号の説明】
【００１８】
１−１〜１−Ｎ…監視カメラ、２…制御部、３…表示部、１２…ＣＣＤ、１３…アナログ部、１４…ディジタル画像処理回路、１５…メモリ部、１６…出力処理回路。
【図１】
2010074675.tif 000003
【図２】
2010074675.tif 000004
【図３】
2010074675.tif 000005
【図４】
2010074675.tif 000006
【図５】
2010074675.tif 000007